(57)【要約】【課題】裏面構造が複雑化し且つ大型化する近年の遊技盤に容易に対応することができると共に、球払出装置等の裏機構部品の破損を防止するパチンコ機を提供する。【解決手段】可変表示装置３６等の中央役物が設けられる遊技盤５と、球払出装置５９等の裏機構部品が設けられる機構板１０とを備え、前記機構板１０には前記中央役物３６の後方突出部が収容されるケース部５６を膨出状に設け、前記ケース部５６の周側壁５６ａに前記裏機構部品５９の後側部位に張出す配線収納樋６３を一体的に形成した。【選択図】図８
2005218792.tif 000002
【特許請求の範囲】
【請求項１】
可変表示装置等の中央役物が設けられる遊技盤と、球払出装置等の裏機構部品が設けられる機構板とを備え、前記機構板には前記中央役物の後方突出部が収容されるケース部を膨出状に設け、前記ケース部の周側壁に前記裏機構部品の後側部位に張出す配線収納樋を一体的に形成したことを特徴とするパチンコ機。
【請求項２】
前記配線収納樋の端部に配線誘導片を一体的に形成したことを特徴とする請求項１記載のパチンコ機。
【請求項３】
前記裏機構部品はその側面を前記ケース部の周側壁に当接させて機構板に取着したことを特徴とする請求項１又は２記載のパチンコ機。
【請求項４】
前記ケース部を前記機構板と別体に形成し、前記ケース部を機構板本体に対して開閉自在に軸支したことを特徴とする請求項１乃至３のいずれかに記載のパチンコ機。
【請求項５】
前記ケース部の後面に開口を形成し、前記開口に開閉自在に設けたカバー体に配線収納樋を一体的に形成したことを特徴とする請求項１乃至４のいずれかに記載のパチンコ機。
【請求項６】
前記ケース部の周側壁に配線収納樋を一体的に形成すると共に該ケース部の後面に開口を形成し、前記開口に開閉自在に設けたカバー体に前記配線収納樋の蓋部材を延設したことを特徴とする請求項１乃至４のいずれかに記載のパチンコ機。
【請求項７】
請求項１乃至５のいずれかに記載のパチンコ機において、前記配線収納樋の一側に肉薄状のヒンジ部を介して該配線収納樋の蓋部材を一体に形成したことを特徴とするパチンコ機。
【発明の詳細な説明】
【技術分野】
【０００１】
本発明は、遊技盤の裏面に球払出装置等の裏機構部品を装着した機構板が開閉又は着脱自在に装着されるパチンコ機に関し、特に前記裏機構部品の配線を処理する配線収納部を備えたパチンコ機に関するものである。
【背景技術】
【０００２】
従来パチンコ機には、球払出装置をはじめとして、球タンク，球誘導樋，配電盤，制御基板等の裏機構部品が多く設けられる機構板が遊技盤裏面に開閉又は着脱自在に装着され、前記裏機構部品に設けられる電気部品の配線は該機構板に形成される配線収納溝に収納するようにしている。そして、前記配線収納溝は、遊技盤側に開放してその開放口を配線押え部材で閉塞するようにしている。これらの配線収納部は、機構板のほぼ中央に形成された開口窓の周縁に沿って設けられている（例えば、特許文献１参照。）。
【０００３】
また、機構板の開口窓周縁に設けられる球払出装置は、外部からの衝撃を受けないようにカバー部材により覆われ保護されている（例えば、特許文献２参照。）。
【特許文献１】実公平４−３８８５５号公報
【特許文献２】特開平７−２４１３７５号公報
【発明の開示】
【発明が解決しようとする課題】
【０００４】
近年、遊技内容がマンネリ化していることから、可変表示装置を大型化したり装飾体を可動させたりして、遊技盤の裏面構造が複雑且つ大型化する傾向にあり、それに対応して開口窓を大きくする要望が強くなっている。しかし、配線収納部も所定幅を必要とするため開口窓を大型化するには限界があった。
【０００５】
また、球払出装置等を保護するカバー部材を別途設けているため、コストが嵩み、組立ての手間もかかるものとなっている。
【０００６】
そこで、本発明の目的は、裏面構造が複雑化し且つ大型化する近年の遊技盤に容易に対応することができると共に、球払出装置等の裏機構部品の破損を防止するパチンコ機を提供しようとするものである。
【課題を解決するための手段】
【０００７】
上記課題を解決するために、請求項１記載の発明は、可変表示装置等の中央役物が設けられる遊技盤と、球払出装置等の裏機構部品が設けられる機構板とを備え、前記機構板には前記中央役物の後方突出部が収容されるケース部を膨出状に設け、前記ケース部の周側壁に前記裏機構部品の後側部位に張出すように配線収納樋を一体的に形成したことを特徴とする。ここでいう「一体的」とはケース部と配線収納樋とを一体に形成するものであっても、別体に形成した配線収納樋をケース部に係着又は溶着等するものを含む。また、ここでいう「裏機構部品」とは、球払出装置の他に球タンク，球払出装置にパチンコ球を供給する供給装置（球誘導樋）であったり、遊技内容を制御する基板ボックスであったり、機構板に装着されるものである。また、ここでいう「配線収納樋」には配線自体はもちろんのこと、配線基板を収納するようにしてもよい。
【０００８】
請求項２記載の発明は、請求項１記載の発明において、前記配線収納樋の端部に配線誘導片を一体的に形成したことを特徴とし、配線を配線収納樋に導きやすくする。
【０００９】
請求項３記載の発明は、請求項１又は２記載の発明において、前記裏機構部品はその側面を前記ケース部の周側壁に当接させて機構板に取着したことを特徴とし、前記球払出装置等の裏機構部品の側面を支持して側方への倒れを防止すると共に開口窓を最大限に拡大することができる。
【００１０】
請求項４記載の発明は、請求項１乃至３のいずれかに記載の発明において、前記ケース部を前記機構板と別体に形成し、前記ケース部を機構板本体に対して開閉自在に軸支したことを特徴とする。配線収納樋が設けられる周側壁を除く個所を軸支し、ケース部を開放すると配線収納樋がともに開閉されるので、球払出装置等の装着が容易となる。
【００１１】
請求項５記載の発明は、請求項１乃至４のいずれかに記載の発明において、前記ケース部の後面に開口を形成し、前記開口に開閉自在に設けたカバー体に配線収納樋を一体的に形成したことを特徴とする。ここでいう「開閉自在」とは一側を軸支して開閉するもの及び凹凸の係止手段により着脱し得るものを含む。
【００１２】
請求項６記載の発明は、請求項１乃至４のいずれかに記載の発明において、前記ケース部の周側壁に配線収納樋を一体的に形成すると共に該ケース部の後面に開口を形成し、前記開口に開閉自在に設けたカバー体に前記配線収納樋の蓋部材を延設したことを特徴とする。
【００１３】
請求項７記載の発明は、請求項１乃至５のいずれかに記載の発明において、前記配線収納樋の一側に肉薄状のヒンジ部を介して該配線収納樋の蓋部材を一体に形成したことを特徴とする。
【００１４】
前記配線収納樋に配線基板を収納し、該配線基板の所定個所にコネクタを設けると共に配線収納樋に該コネクタが臨む窓部を開設し、配線収納樋側のコネクタと裏機構部品に設けられるコネクタとを接続するのが好ましい。
【発明の効果】
【００１５】
本発明によれば、機構板に膨出状に設けられたケース部に、球払出装置等の裏機構部品の後側部位に張出すように配線収納樋を形成するようにしたので、機構板の開口窓を大きくすることができるため、その裏面構造が複雑化し且つ大型化する近年の遊技盤に容易に対応することができ、配線収納樋により裏機構部品を保護することができると共に、配線収納を簡単に行うことができる。
【実施例１】
【００１６】
次に、本発明の一実施例を図面を参照して説明する。図１はパチンコ機の正面図、図２はパチンコ機の裏面図、図３は前面枠を開放した状態を示すパチンコ機の裏面斜視図である。図において、１はパチンコ機の機枠、２は機枠１の前面にヒンジ機構３により開閉自在に装着される前面枠であり、該前面枠２の裏面側に設けられる遊技盤取付枠４に遊技盤５が着脱自在に取着される。また、前面枠２の前面には、前記遊技盤５が視認できるように、ガラス又はアクリル，ポリカーボネート等の合成樹脂による透明板が保持される透明板扉枠６が開閉自在に設けられる。そして、透明板扉枠６の下方には前板を介して打球供給皿７が設けられ、その下方には前記打球供給皿７の余剰球を貯留する余剰球受皿８が設けられ、その側方に打球の飛力を調整する操作ハンドル９が設けられている。また、前記前面枠２の裏面には機構板１０がヒンジ具１１により開閉自在に設けられている。前記前面枠２，透明板扉枠６及び機構板１０の自由端は、前面枠２の裏面に設けられる施錠装置１２によって施錠される。なお、前記打球供給皿７は透明板扉枠６と一体に開閉するようにしてもよく、さらに余剰球受皿８を一体に開閉するようにしてもよい。このとき、打球供給皿７及び余剰球受皿８を、貯留部とその前面を覆う装飾カバーとで構成し、前記貯留部を前面枠２側に設けて装飾カバーを前記透明板扉枠６とともに開閉させるのが好ましい。前記前面枠２及び透明板扉枠６及び機構板１０の自由端は施錠装置１２によって施錠されている。
【００１７】
前記施錠装置１２は、図５及び図６に示すように前面枠２の自由端の裏面に固設されるＬ字状の基板１３と、前記基板１３の長手方向に沿って摺動自在に設けられ前面枠２及び透明板扉枠６，機構板１０を開閉するための施錠杆１４と、前記基板１３に取付けられ前面枠２及び透明板扉枠６を解錠するシリンダ錠１５と、前記シリンダ錠１５の錠軸に固着され前記施錠杆１４の摺動方向に操作力を伝達し摺動させるカム板１６とで構成されている。前記施錠杆１４には、長板状の上下部に機枠１に設けられる受金具１７に係止する上下一対の下向き鉤片１８，１８と、前記透明板扉枠６の裏面に開口して設けられる係止部１９に係止する上向き鉤部材２０と、前記機構板１０に設けられる係合孔２１に係脱する鉤状片２２とが長孔２３ａ〜２３ｃを介して、スプリング２４ａ〜２４ｃによって常に鉤片１８，鉤部材２０，鉤状片２２を施錠方向に付勢している。前面枠２を施錠する鉤片１８は、施錠杆１４に形成した長孔２３ａに一端を軸ピン２５ａにより摺動自在に設けられ、スプリング２４ａにより前記長孔２３ａの下端に軸ピン２５ａが当接するように付勢している。前記長孔２３ａは、前記鉤部材２０の係合が解除される長さが選ばれる。次に、透明板扉枠６を施錠する鉤部材２０は、施錠杆１４に形成した長孔２３ｂに一端を軸ピン２５ｂにより摺動自在に設け、スプリング２４ｂにより前記長孔２３ｂの上端に軸ピン２５ｂが当接するように付勢している。このとき、前記長孔２３ｂの長さは前記鉤片１８の解錠範囲長さと、さらに鉤状片２２の解錠範囲長さとをプラスした長さが選ばれる。また、機構板１０の自由端を係止する鉤状片２２は、一端が施錠杆１４に形成した長孔２３ｃ及び基板１３に形成したガイド長孔２６に軸ピン２５ｃを介して回動自在に設けられ、スプリング２４ｃにより前記基板１３に形成したガイド長孔２６の下端に軸ピン２５ｃが当接するように付勢している。このとき、施錠杆１３に形成された長孔２３ｃは、前記鉤部材２０及び鉤片２８の係合が解除される長さをプラスした長さとして、常には軸ピン２５ｃがガイド長孔２６の下端に位置すると共に長孔２３ｃのほぼ中央に位置している。なお、基板１３には後述する機構板１０の自由端に設けられる可動係止板２７の第二係合突片２８ｂが係止する固定フック２９が固設されている。３１は基板１３に設けられるガイド片であり、先端が機構板１０側に下傾して、機構板１０の閉鎖時に自由端側が荷重によりに下傾するのを所定位置に誘導し、前記鉤状片２２が係合孔２１に対向位置して係合しやすくするものである。３２は施錠杆１４を手で操作する操作部である。そして、鍵の操作によりカム板１６の操作力を施錠杆１４に伝達して、鉤片１８又は鉤部材２０を解錠方向に摺動させ、前面枠２及び透明板扉枠６を解錠するようにしている。なお、本実施例において、１本の施錠杆１４に前面枠２及び透明板扉枠６，機構板１０を施錠する鉤片１８，鉤部材２０，鉤状片２２を設けるようにしたが、それぞれを別の作動杆に設けるようにしてもよい。
【００１８】
前記遊技盤５は、図４に示すようにほぼ方形状に形成され、前面に遊技球を案内するガイドレール３４により遊技領域５ａがほぼ円形に形成され、該遊技領域５ａのほぼ中央に中央役物としての可変表示装置３６が設けられ、その周囲に一般入賞口３５や前記可変表示装置３６の図柄を変動させるチューリップタイプの始動入賞口３７、また可変表示装置３６の予め設定された図柄の組合せにより開放する大入賞口３９等が設けられている。そして、前記遊技盤５の周縁の適宜位置に、該遊技盤５を遊技盤取付枠４に固定させる係止部材４０が着脱回動自在に設けられている。前記係止部材４０は、図４に示すように軸部の一端に操作部４０ａが設けられ、他端に遊技盤取付枠４の後面に係止する係止片４０ｂが、ほぼ遊技盤５の厚みを隔てて設けられている。
【００１９】
前記遊技盤取付枠４は、図４に示すように遊技盤５の下端を支持する下部側枠４ｂと、遊技盤５の上部及び左右両側をそれぞれ支持する上部側枠４ａ及び左右側枠４ｃ，４ｄとにより額縁状に形成されており、遊技盤５が取付けられる設置領域４７が前後方向に開放して形成されている。そして、前記遊技盤取付枠４の遊技盤設置領域４７の後面周縁に、遊技盤５の後面を支持する支持片４８が帯状に設けられている。前記左右側枠４ｃ，４ｄの一部は支持片４８と共に切欠き４９されている。そして、左側枠４ｃに沿って機構板１０のヒンジ具１１が設けられ、右側枠４ｄに沿って前記施錠装置１２が設けられる。
【００２０】
前記ヒンジ具１１は、図８及び図９に示すように前面枠２側に取着される上下固定ヒンジ部材４１と機構板１０側に取着される上下可動ヒンジ部材４２とにより構成されている。そして、前記上下固定ヒンジ部材４１は鋼やステンレス等の金属により断面Ｌ字型に形成された連結部材４３の上部及び下部に一体的に形成され、前記上下可動ヒンジ部材４２は鋼やステンレス等の金属製の補強フレーム４４の上部及び下部に一体的に形成されている。この実施例において、固定ヒンジ部材４１には軸孔４５が開設され、可動ヒンジ部材４２には前記軸孔４５に嵌挿される軸ピン４６が垂下されている。なお、ヒンジ具１１は、この実施例に限ることなく、固定ヒンジ部材４１に上向の軸ピン４６を設け、可動ヒンジ部材４２に軸孔４５を開設するようにしてもよい。前記補強フレーム４３の下方には後述する取付板部材６７を開放自在に軸支する軸支部４４ａが形成され、その近傍に取付板部材６７を軸支しやすいように誘導するガイド部５４が形成されている。
【００２１】
前記連結部材４３は、図８に示すようにＬ字型の一側４３ａが遊技盤取付枠４の遊技盤設置領域４７の後方に臨むように形成され、前記切欠き４９から針金等の不正具を挿入して行われる不正を防止するようにしている。そして、前記遊技盤取付枠４の切欠き４９に対応位置すると共に遊技盤５の前面に対応して屈曲片５１が形成され、該屈曲片５１に遊技盤５の前面を押圧する弾性片５２がビス着又は溶着により設けられている。前記弾性片５２は、図１０に示すように０．８〜１．０ｍｍの厚さの金属板を鋭角に曲折すると共に先端を逆方向に曲折して断面略変形Ｚ状となるように形成されている。前記弾性片５２の折曲先端は、前記屈曲片５１の端部より内方に位置して設けられている。また、前記固定ヒンジ部材４１に対応位置して、可動ヒンジ部材４２が接触し、前記軸ピン４６の軸線が前記軸孔４５内に位置するように位置決めするガイド部５３が、前記固定ヒンジ部材４１と所定間隔（軸ピン４６の長さ以下）を隔てて設けられ、該ガイド部５３と連結部材４３とで形成されるＬ字型のコーナー部に、可動ヒンジ部材４２を当接させることにより位置決めがなされる。なお、前記下方のガイド部５３には機枠１の後面又は機枠１に形成した係合部に係止するＬ型の係止片５４を延設している。これは、前面枠２の軸支側を撓ませてその隙間から針金等の不正具を挿入して行われる不正行為を防止するためのもので、前面枠２を機枠１に対して閉鎖した際に前記係止片５４が機枠１の後面に係止して、機枠１と前面枠２との間に隙間ができないようにしている。
【００２２】
そして、遊技盤５を遊技盤取付枠４に装着するには、係止部材４０の係止片４０ｂが遊技盤５の周縁から外方に突出せずに収まった状態で、操作部４０ａを摘んで遊技盤５を持ち上げ、遊技盤取付枠４の前面側から遊技盤５の左側方を設置領域４７に臨ませて前記支持片４８と弾性片５２間に挿入させる。このとき、弾性片５２の先端が屈曲片５１より突出することなく傾斜面に形成されていることよって、遊技盤５の側端で弾性片５２を奥方に押し込むことなく遊技盤５をガイドして、支持片４８と弾性片５２間にスムーズに嵌挿でき該弾性片５２で遊技盤５を確実に押圧固定することができる。そして、遊技盤５の右側方後面を前記支持片４８に当接させると共に、係止部材４０の操作部４０ａを回動させると係止片４０ｂが支持片４８の後面に係止し、遊技盤５が遊技盤取付枠４に確固と取付けられる。このように、遊技盤５の左側方（透明板扉枠６の軸支側）を差込固定することで、透明板扉枠６がデザイン的に膨出して形成され、透明板扉枠６の開放時に該透明板扉枠６が隣接するパチンコ機と干渉しないように、遊技盤５面に臨むように内方に位置しても、確実に遊技盤５を取付枠４の前面側から装着することができる。なお、前記弾性片５２の先端を筒状に形成して、遊技盤５の端部が引っかからないようにしてもよい。
【００２３】
前記機構板１０は、図２及び図３に示すように遊技盤５に設けられ可変表示装置３６の後方突出部が臨む開口窓５５が開設され、該開口窓５５を閉塞するように所定高さの周側壁５６ａを有するケース部５６が機構板１０と一体に膨出形成されている。また前記開口窓５５の周縁近傍には、例えば裏機構部品として開口窓５５の上方に球タンク５７が固着されて、開口窓５５の側方には前記球タンク５７に貯留されたパチンコ球を整列する球誘導樋５８及び球払出装置５９が設けられている。そして、球払出装置５９の下方には前記打球供給皿７に導く排出通路６０と、打球供給皿７の余剰球を余剰球受皿８に導く余剰球通路６１及び球抜き通路６２が形成されている。そして、開口窓５５の下方には入賞球集合樋６４が設けられ、その後面を覆うようにパチンコ球の払出しを制御する払出制御基板６５及び遊技内容を制御する基板ボックス６６等が設けられる取付板部材６７が開閉自在に設けられている。該取付板部材６７は一側にヒンジ部６７ａを形成し、他側に係止部としての係止フック６８を設けている。
【００２４】
また、機構板１０の自由端側には、図５に示すように帯状の補強プレート６９が機構板１０の自由端側縁に沿って設けられている。前記補強プレート６９は、一部を断面Ｌ字状に形成しており、ほぼ中央に前記ガイド片３１に接触して機構板１０を所定位置に導く規制片７０が設けられると共に係止孔２１に対応して係止板７１を設けている。前記補強プレート６９は、前記係止板７１及び規制片７０の上端に延設される５ｍｍ〜１０ｍｍ程度の取着用舌片７０ａ，７１ａを機構板１０の側縁に形成される下向き袋状の挿通孔７２に挿通して、前記規制片７０の近傍にビスを螺締することで取付けられる。また、補強プレート６９の下方には、図１１に示すように前記取付板部材６７の一端が係止する可動係止板２７を上下方向に可動し得るようにガイドピン７３により規制されスプリング７４より係止方向である下方に付勢されている。前記可動係止板２７には前記板状部材６７の係止フック６８が係合する第一係合突片２８ａと前記固定フック２９が係合する第二係合突片２８ｂを折曲して上下に設けられている。７５は可動係止板２７の上部に折曲して設けられ、施錠装置１２の鉤片２８が接触作用する作用片である。前記係止フック６８が第一係合突片２８ａに係合する係止量は、固定フック２９が第二係合突片２８ｂに係合する係止量より多く設定され、機構板１０が開放してから取付板部材６７が開放するようになっている。なお、実施例において係止フック６８及び固定フック２９が係合する第一係合突片２８ａと第二係合突片２８ｂを上下に複数設けたが一ヶ所で係止させるようにしてもよい。
【００２５】
次に裏機構部品について説明する。前記球タンク５７は、図１２及び図１３に示すように上面が開口する平面略長方形の箱状に形成されたタンク本体５７ａと、板状部材５７ｂとで構成している。そして、前記板状部材５７ｂを球タンク本体５７ａ内に装着して、パチンコ球が貯留される球貯留部７６とパチンコ球を整列して流下させる球整流部７７とを区画している。前記板状部材５７ｂの上面はほぼ平坦面であり、僅かに厚みを有する枠板状に形成され、下流側に球貯留部７６のパチンコ球を球整流部７７に流出させる球導出口７８が開設されると共に、該球導出口７８の前後両側開口縁にパチンコ球の半球程度の段部により球崩し部７９が隆起して形成されている。前記球整流部７７は、前記球導出口７８の下方に位置して拡幅状に形成された球受け部８０と、該球受け部８０の下流側に連設してパチンコ球が１列又は半複列で流下する凹溝状の整流路８１と、該整流路８１に並列して段状に設けられ該整流路８１に下流側で合流するように設けられる補助通路部８２によって構成している。前記整流路８１は実施例において約１８ｍｍの通路幅としてパチンコ球が球心をずらしてランダムに流下し得るようにしている。前記補助通路部８２の下流には段状の球崩し８２ａが設けられ、該補助通路部８２のパチンコ球を整流路８１にスムーズに合流させるようにしている。なお、球受け部８０及び整流路８１には金属板が敷設されており、パチンコ球の流下による摩耗を防止すると共に静電気のアースとしての用をなす。該球タンク５７は、後述する傾斜樋８３ａと共にカバー部材５６の周側壁５６ａにより下端が支持されている。なお、前記球タンク５７の球導出口７８を該球タンク５７の後面壁端部又はその近傍に形成し、それに伴って前記整流路８１を前記カバー部材５５の後端近傍位置となるように設けることで、特に遊技盤５裏面上部の空間部を広くすることができ、可変表示装置３６等を大型化して該空間部を有効活用することができる。
【００２６】
前記整流路８１の下流には、図２に示すように球誘導樋５８が接続され、該球誘導樋５８は開口窓５５の上方に位置する傾斜樋５８ａと開口窓５５の側方に位置する屈曲樋５８ｂとにより逆Ｌ字状に形成されている。そして、前記屈曲樋５８ｂは、一条で導かれる供給通路８４を機構板１０に対して垂直方向に屈曲させて、幅方向より奥行き幅が長くなるように機構板１０に立設して前記ケース部５６に沿うように設けられ、その周側壁５６ａにはリブ壁５６ｂを設けて該周側壁５６ａを補強すると共に前記球誘導樋５８の側面の支持を確実なものとしている。また、前記球誘導樋５８の上部には配電盤８５が設けられ、多数の配線Ｈが接続される。
【００２７】
前記球払出装置５９は、図１０に示すように機構板１０の側方からスライドして前記屈曲樋５８ｂと同様にケース部５６の周側壁５６ａに沿うように立設され、リブ壁５６ｂに支持されている。前記球払出装置５９は、図１４に示すようにほぼパチンコ球の径に等しい薄型箱枠体８３に前記屈曲樋５８ｂの供給通路８４と連通する球通路８６と、前記球通路８６に進退自在に臨み最先のパチンコ球を制御支持する払出制御体８７と、前記払出制御体８７を駆動する電気的駆動源としてのソレノイド８８とを備え構成している。そして、前記払出制御体８７の上方に位置して鉛直面内で球荷重により回動する回転規制体８９が回動自在に設けられ、球通路８６を流下するパチンコ球の流速を制御すると共に、所定間隔をもってパチンコ球を払出制御体８７に導くようにしている。なお、前記回転規制体８９には、球荷重により回転規制体８９が次第に加速されて、該払出規制体８９の回転を制御するのが難しくなるのを防止するため、より確実に回転を制御する盲動防止装置を設けるのが好ましい。
【００２８】
球払出装置５９の動作は、ソレノイド８８の励磁により払出制御体８７を回動させて、前記打球供給皿７に導く排出通路６０に排出させるようにしている。また、払出制御体８７の下流側に球抜き装置９０を設けて、操作部材９０ａの操作により払出制御体８７を回動させると共に通路を球抜き通路６２に切替えるようにしている。このように、本実施例において球誘導樋５８及び球払出装置５９を、横幅寸法より奥行幅寸法の方が長くなるようにほぼ一列状に設けることで、機構板１０の側方部の寸法を機枠１の内側端から５０ｍｍ程度に狭くすることができ、その分開口窓５５を横方向に大型化することができ、近年複雑化する遊技に伴って遊技盤５の可変表示装置３６等の中央役物が大型化かつ複雑化しても容易に対応することができる。
【００２９】
前記ケース部５６の周側壁５６ａの一側に、図１０に示すように前記屈曲樋５８ｂ及び球払出装置５９の後側部位に張出すように断面Ｕ字状の配線収納樋６３が一体的に形成されている。このとき、配線収納樋６３の後端面は、ケース部５６の後端面より５〜１０ｍｍ程度低く設けられて、直接配線収納樋６３に衝撃を受けないようにしている。配線収納樋６３の端部に傾斜樋５８ａを跨ぐように配線を収納部６３に導く配線誘導片９１が一体的に形成されている。該配線誘導片９１は、緩やかに湾曲した樋状に形成されて前記配電盤８５に向かって下傾させ、配線Ｈを導きやすくしている。そして、配線Ｈを配線収納樋６３に導入する開口部６３ａには蓋部材９２が開閉自在に設けられる。該蓋部材９２は、長手方向両端に形成される軸部９２ａを、配線収納樋６３に一体に形成される軸孔を有するヒンジ部９３ａに軸支して、他側に形成される係止爪９２ｂをケース部５６の周側壁５６ａに形成される係止孔９４に係止して配線収納樋６３の開口部６３ａを閉塞する。前記係止爪９２ｂの近傍には、該係止爪９２ｂに弾性を付与する透孔が穿設されている。このように、ケース部５６の周側壁５６ａに前記屈曲樋５８ｂ及び球払出装置５９の後面を覆うように配線収納樋６３を設けることで、屈曲樋５８ｂ及び球払出装置５９をケース部５６の周側壁５６ａで確実に支持することができると共に屈曲樋５８ｂ及び球払出装置５９を移送時の衝撃から保護することができる。しかも、従来のように球払出装置５９を保護する保護カバーを別途設ける必要がないので、コストの削減を図ることができると共に保護カバーの取付工程を省くことができ、組立ての作業性を向上させることができる。
【００３０】
また、図１５に示すように配線収納樋６３をケース部５６と別体に形成し、配線収納樋６３に形成される鉤片１０８をケース部５６の周側壁５６ａに形成した透孔１０９に嵌挿しスライドさせることで、配線収納樋６３をケース部５６に一体的に形成するようにしてもよい。このとき、蓋部材９２は、配線収納樋６３の一側に肉薄状のヒンジ部１０２を介して一体に形成されている。そして、配線収納樋６３の所定個所に配線Ｈを引き出す窓部１０７が開設されている。なお、配線収納樋６３の取付けは、上記手段に限定されることなく、ケース部５６にビス着，溶着等により一体的に設けるようにすればよい。
【００３１】
図１６及び図１７はカバー体の他の実施例を示し、ケース部５６を開口窓５５の一側に開閉自在に設けて、自由端側の周側壁５６ａに屈曲樋５８ｂ及び球払出装置５９の後面を覆うように配線収納樋６３が設けられている。前記ケース部５６の軸受板９５は、補強プレート６９に一体に設けられている。前記軸受板９５は、金属片を屈曲して形成され、該軸受板９５に前記ケース部５６のヒンジ部材９６に設けられる軸ピン９６ａが嵌挿される軸孔９５ａが貫設されている。なお、ケース部５６のヒンジ部材９６に軸孔を貫設して、軸受板９５に上向きの軸ピンを突設させるようにして、軸孔を軸ピンに嵌挿させるようにしてもよい。また、図１７に示すようにケース部５６の自由端側の周側壁５６ａを撓み面として形成すると共に係止爪９７を設け、機構板１０の開口窓５５の周縁に前記撓み面の押圧操作によりケース部５６を固定解除する係合部９８を形成している。このように、補強プレート６９にケース部５６の軸受板９５を一体に設けることで、従来ケース部５６の軸受部を機構板１０に一体に設けていたのに比べて、機構板１０の成型を容易とし軸受の強度を高めることができる。さらに、従来軸受が損傷すると、機構板１０の全体を交換しなければならないが、補強プレート６９に軸受板９５を設けることで、万一軸受部が損傷したとしても、補強プレート６９を交換すればよくコストの削減に寄与することになる。９９は機構板１０に設けられるケース部５６の上動規制片であり、ケース部５６の閉鎖時にヒンジ側の連繋が外れないように、ケース部５６のヒンジ部材９６が上動規制片９９の下方に入り込みケース部５６の上動を阻止する。なお、前記ケース部５６の上動規制片９９を、補強プレート６９の折曲片６９ａをさらに折曲して形成するようにしてもよい。また、ケース部５６のヒンジ部材９６を直接規制することなく、別途規制部を設けて前記上動規制片９９により規制するようにしてもよい。このように、屈曲樋５８ｂ及び球払出装置５９の後面を覆う配線収納樋６３をケース部５６の周側壁５６ａに設け、該配線収納樋６３を設けた周側壁５６ａ側を除く開口窓５５の一側に開閉自在に軸支することで、屈曲樋５８ｂ及び球払出装置５９の装着・取外しが容易となる。このとき、好ましくは図１７に示すように補強フレーム４４に屈曲樋５８ｂ及び球払出装置５９の側壁を支持する支持片４４ａを延設して、側方からの衝撃による損傷を防止すると共に屈曲樋５８ａ及び球払出装置５９を確実に保持することができ、しかも外部から不正目的で侵入する針金等の不正具によって球払出装置５９を作動させ、不正にパチンコ球を獲得することを防ぐことができる。また、球払出装置５９が支持片４４ａ及び配線収納樋６３により囲まれるため、球払出装置５９が外されてパチンコ球を不正に獲得されることを確実に防ぐことができる。さらに、図１７に示すように配線収納樋６３の下端が前記屈曲樋５８ａ及び球払出装置５９の後面と接触押圧するようにして、該屈曲樋５８ａ及び球払出装置５９を配線収納樋６３で固定するのが好ましい。さらに、配線収納樋６３の下端に屈曲樋５８ａ及び球払出装置５９の側壁に当接する支持片６３ｂを垂下するようにしてもよい。
【００３２】
また、図１８に示すように前記ケース部５６の後面に背抜き状の開口１００を形成して、該開口１００を閉塞するカバー体１０１に屈曲樋５８ｂ及び球払出装置５９の後面を覆う配線収納樋６３を一体的に形成するようにしてもよい。このとき、カバー体１０１はケース部５６に対して開閉又は着脱自在に設けられる。前記カバー体１０１は方形状の浅い器形状をしており、配線収納樋６３の端部に該配線収納樋６３の蓋部材９２を一体に延設している。この実施例ではカバー体１０１はポリプロピレン等の合成樹脂により成形され、凹溝により薄肉状に形成したヒンジ部１０２を介して蓋部材９２を形成している。なお、前記カバー体１０１の形状は限定されることなく、実施例に示す器形状に限らず板状としてもよい。
【００３３】
図１９はケース部の他の実施例を示し、この実施例のケース部５６は後面を背抜き状の開口１００とし、該開口１００を開閉するカバー体１０１をケース部５６に対して着脱自在に設け、該カバー体１０１に前記ケース部５６に設けられる配線収納樋６３の蓋部材９２を一体的に形成している。前記カバー体１０１は方形状の浅い器形状をしており、図２０に示すようにその開口端に折曲して設けられた１０ｍｍ程度の帯片１０３の所定個所に有頭突部１０４を設けている。一方、ケース部５６の開口端に折曲して設けられた帯片１０３には、前記有頭突部１０４が掛止めされる掛止孔１０５が形成され、該掛止孔１０５は上部が前記有頭突部１０４が嵌挿し得る径を有し、下部は該有頭突部１０４より小径に形成されており、有頭突部１０４を掛止孔１０５の上部から差し込んで下部に締め下げることでカバー体１０１がケース部５６に取付けられる。なお、カバー体１０１の係止手段は実施例に示したものに限定されることなく、鉤状片を透孔に対してスライドする等種々の係止手段が可能である。また、前記カバー体１０１は、ケース部５６に対して開閉自在に軸支するようにしてもよい。
【００３４】
なお、前記実施例において、配線収納樋６３に配線Ｈを収納するようにしたが、必ずしも配線を収納するとは限らず、配線基板を収納するようにしてもよい。このとき、所定個所にコネクタを設けるのが好ましく、該コネクタに配線Ｈを接続したり裏機構部品等に設けられる基板のコネクタと直接接続したりすればよい。また、配線収納樋６３に配線Ｈ又はコネクタを導く窓部１０７を所定個所に予め設けるようにするのが好ましく、さらに配線収納樋６３の適宜個所（球誘導樋５８，球払出装置５９等の裏機構部品の設置個所）に窓部１０７が開設できるように、所定個所を破断して切り離し可能なようにするのがよい。例えば、裏機構部品の配列又は配線個所が変わっても、任意の個所に窓部１０７を開設することができる。当然のことながら、予め窓部１０７を複数箇所に形成しておいてもよいのはいうまでもない。
【００３５】
図２１に配線収納樋６３に配線基板Ｂを設けた実施例を示す。なお、前記実施例と同じ構成要素には同一符号を付して説明する。この実施例において、配線収納樋６３が一体的に形成されるカバー体１０１がケース部５６に開閉自在に設けられ、球誘導樋５８及び球払出装置５９の裏機構部品に備えられた球検知センサ１１１，電気的駆動源（ソレノイド８８）等が接続された配線中継基板１１２がそれぞれ配線収納樋６３に対向するように設けられ、該配線中継基板１１２に設けられたコネクタ１１３が球誘導樋５８及び球払出装置５９のケース体から後面に臨むように設けられている。そして、前記配線収納樋６３には配線基板Ｂが該配線収納樋６３の底部に沿って設けられ、前記球誘導樋５８及び球払出装置５９のコネクタ１１３に対向する位置に窓部１０７を開設すると共にコネクタ１１４を臨ませている。このような構成を採用することで、カバー体１０１をケース部５６に閉鎖することでコネクタ１１３，１１４が接続され、前記球誘導樋５８及び球払出装置５９の煩わしい配線作業をなくすことができ、しかもコネクタ１１３，１１４同士の接続により球誘導樋５８及び球払出装置５９を仮止めすることができる。
【００３６】
また、前記ケース部５６は実施例の形態に限られるものではない。例えば、ケース部５６の下面の周側壁５６ａは必ずしも設けなければならないものではなく、少なくとも上面及び側面があれば強度を保持することができる。つまり、周側壁５６ａは下向きコ字状の三面か逆Ｌ字状の二面であればよく、両側の周側壁５６ａのいずれかを一側とした際には球払出装置５９を設ける側の一側とするのが好ましい。このとき、周側壁５６ａの他側はカバー体１０１と共に開閉自在又は着脱自在に設けるようにすればよい。また、前記ケース部５６の側方に位置する球誘導樋５８及び球払出装置５９を、ケース部５６の周側壁５６ａに沿うように直接取着するようにしてもよい。このとき、球誘導樋５８及び球払出装置５９の周側壁５６ａ側の側面に、センサ，電気的駆動源等が接続される配線基板を設けると共に該配線基板にコネクタを設け、前記コネクタと相対する周側壁５６ａ側の側面に該コネクタと接続するコネクタを備えた配線又は配線基板を設け、前記球誘導樋５８及び球払出装置５９のコネクタを周側壁５６ａに設けたコネクタに接続することで、前記球誘導樋５８及び球払出装置５９の位置決め及び仮止めとすることができる。また、ケース部５６を機構板１０と別体とした際には、図２２に示すようにケース部５６の周側壁５６ａを球誘導樋５８及び球払出装置５９を取着するベースとしてユニット化することができる。このとき、ユニットの取付けは、例えば図２２に示すように機構板１０に形成された係止孔１０９ａ及び係止溝１０９ｂに、周側壁５６ａに形成された係止片１１０ａ及び支持片１１０ｂを係止することで取着される。なお、ユニットの取着手段は前記実施例の取着手段に限定されるものではなく、例えば別途係止部材で係止するようにしてもよい。また、ケース部５６の周側壁５６ａを構成する球誘導樋５８及び球払出装置５９が当接する周側壁５６ａ部のみを別体に形成するのが好ましく、ユニットをコンパクト化することができる。このように、球誘導樋５８及び球払出装置５９を周側壁５６ａにユニット化することで、部品管理が容易となり取付けの作業性も向上する。
【００３７】
なお、球払出装置５９はこの実施例の形態に限定されるものではなく、所定数のパチンコ球をケース体に収納して一気に払出す貯切りタイプの払出装置であっても、スプロケット又はスクリューをモータで回転させて払出すタイプの払出装置であてもよい。さらに、実施例において単列でパチンコ球が供給されるものとしたが、複数列で供給されパチンコ球を払出す球払出装置であってもよい。また、実施例では球払出装置５９の奥行方向寸法より幅方向の寸法を小さくするようにしたが、必ずしも幅方向の寸法を小さくしなければならないものではない。
【００３８】
また、実施例において、配線収納樋６３を屈曲樋５８ｂ及び球払出装置５９の後側部位に張出すように設けたが、裏機構部品としての球タンク５７又は傾斜樋５８ａの後面に臨むように、ケース部５６の上側壁５６ａに設けるようにしてもよい。さらに、配線収納樋６３を、例えば逆Ｌ字状にケース部５６の周側壁５６ａの複数壁に亘って形成するようにしてもよい。
【００３９】
なお、実施例において機構板１０をヒンジ具１１により開閉自在に設けるようにしたが、機構板１０の両サイドを固定具により固定して着脱自在に装着するようにしてもよい。なお、前記固定具は限定されるものではなく、前記鉤状片２２と同じ構成としてもよい。
【図面の簡単な説明】
【００４０】
【図１】パチンコ機の正面図である。
【図２】パチンコ機の裏面図である。
【図３】前面枠を開放した状態を示すパチンコ機の裏面斜視図である。
【図４】透明板扉枠を開放し遊技盤を取外した状態の斜視図である。
【図５】施錠装置部分の要部斜視図である。
【図６】施錠装置の分解斜視図である。
【図７】施錠装置部分の要部断面図である。
【図８】ヒンジ側の要部斜視図である。
【図９】ヒンジ具の分解斜視図である。
【図１０】ヒンジ側の要部断面図である。
【図１１】機構板及び取付板部材の施錠具の分解斜視図である。
【図１２】球タンク部分の正面断面図である。
【図１３】球タンクの平面図である。
【図１４】屈曲樋及び球払出装置の断面図である。
【図１５】配線収納樋のケース部への取付けを示す要部分解斜視図である。
【図１６】ケース部の他の実施例を示す要部分解斜視図である。
【図１７】図１５の自由端側の平断面図である。
【図１８】ケース部の他の実施例を示す要部分解斜視図である。
【図１９】ケース部のさらに他の実施例を示す要部分解斜視図である。
【図２０】図１９の係合手段を示す斜視図である。
【図２１】配線収納樋に配線基板を収納した実施例を示す断面図である。
【図２２】裏機構部品をケース部にユニット化した状態を示す断面図である。
【符号の説明】
【００４１】
５          遊技盤
１０        機構板
３６        可変表示装置（中央役物）
５６        ケース部
５６ａ      周側壁
５８        球誘導樋（裏機構部品）
５８ａ      傾斜樋（裏機構部品）
５８ｂ      屈曲樋（裏機構部品）
５９        球払出装置（裏機構部品）
６３        配線収納樋
８５        配電盤（裏機構部品）
９１        配線誘導片
９２        蓋部材
１００      開口
１０１      カバー体
１０２      ヒンジ部
Ｈ          配線
【図１】
2005218792.tif 000003
【図２】
2005218792.tif 000004
【図３】
2005218792.tif 000005
【図４】
2005218792.tif 000006
【図５】
2005218792.tif 000007
【図６】
2005218792.tif 000008
【図７】
2005218792.tif 000009
【図８】
2005218792.tif 000010
【図９】
2005218792.tif 000011
【図１０】
2005218792.tif 000012
【図１１】
2005218792.tif 000013
【図１２】
2005218792.tif 000014
【図１３】
2005218792.tif 000015
【図１４】
2005218792.tif 000016
【図１５】
2005218792.tif 000017
【図１６】
2005218792.tif 000018
【図１７】
2005218792.tif 000019
【図１８】
2005218792.tif 000020
【図１９】
2005218792.tif 000021
【図２０】
2005218792.tif 000022
【図２１】
2005218792.tif 000023
【図２２】
2005218792.tif 000024